(57)【要約】      （修正有）【課題】ピックアップ装置のスポット径の限界や符号間干渉などが原因となり正常に復号できないデータに対して、復号可能とする復号方法及び情報再生装置を得る。【解決手段】2T信号を検出する回路と検出した2T信号に従って補正量αを算出する補正量算出回路を備え、該補正量算出回路が算出した補正量αと処理時刻での最尤復号における基準値を加算した結果を次処理時刻における新たな基準値として最尤復号する。【選択図】図１
2010225215.tif 000002
【特許請求の範囲】
【請求項１】
PRML方式を用いて復号を行なう情報再生装置であって、
再生信号に含まれる最短マークまたはスペース信号を検出する最短マーク（スペース）信号検出回路と、
該最短マーク（スペース）信号検出回路の検出結果に従ってPR等化後の信号から補正量を算出する補正量算出回路と、
該補正量算出回路が算出する補正量に従って補正基準値を算出する基準値設定回路と、
該補正基準値を最尤復号法における基準値として最尤復号を行なう最尤復号回路を備える情報再生装置。
【請求項２】
請求項1記載の最短マーク（スペース）信号検出回路の最短マークまたはスペースの信号長は2T(Tはチャネルクロック周期)である（以下、2T検出回路）ことを特徴とする情報再生装置。
【請求項３】
請求項2の前記補正量算出回路は、前記2T検出回路が2T信号を検出し、検出した結果に従ってPR等化後の信号から振幅を検出し、該振幅の平均値を前記補正量として算出することを特徴とする情報再生装置。
【請求項４】
請求項1記載の前記補正量算出回路は、PR等化後の信号の振幅値のうち最も頻度の高い振幅値を前記補正量とすることを特徴とする情報再生装置。
【請求項５】
請求項1記載の前記基準値設定回路は、該回路が保持する基準値に前記補正量を加算して補正基準値を算出することを特徴とする情報再生装置。
【請求項６】
請求項5記載の情報再生装置であって、前記基準値設定回路は前処理時刻の前記基準値と補正量の加算値を基準値として更新し、前記補正量算出回路は、前処理時刻の補正量を現時刻の補正量から差し引いて補正量とすることを特徴とする情報再生装置。
【請求項７】
請求項1記載の情報再生装置は、PR(1221)MLもしくはPR(12221)MLのクラスであることを特徴とする情報再生装置。
【請求項８】
請求項１記載の情報再生装置は、PR（1221）MLとPR（12221）MLのクラスを切替えて、両クラスに対応することを特徴とする情報再生装置。
【請求項９】
PRML方式を用いて復号を行なう復号方法であって、
信号が入力され、
該入力された信号の信号振幅に従って最尤復号における基準値を補正することを特徴とするPRML復号方法。
【請求項１０】
PRML方式を用いて復号を行なう復号方法であって、
情報を再生し、
該再生された再生信号に含まれる最短マークまたはスペース信号を検出したときのPR等化後の信号に従って最尤復号における基準値を補正することを特徴とするPRML復号方法。
【請求項１１】
PRML方式を用いて復号を行なう復号方法であって、
信号が入力され、
該入力信号から、2T信号を検出したときのPR等化後の信号振幅の平均値に従って最尤復号における基準値を補正することを特徴とするPRML復号方法。
【請求項１２】
PRML方式を用いて復号を行なう復号方法であって、
信号が入力され、
該入力された信号のうち、最も頻度の高い信号振幅値に従って最尤復号における基準値を補正することを特徴とするPRML復号方法。
【請求項１３】
PRML方式を用いて復号を行なう復号方法であって、
情報を再生し、
PR（12221）ML方式とPR（1221）ML方式を切替えることを特徴とするPRML復号方法。
【請求項１４】
最短ラン長を通過させる帯域を持たない系を通した信号に対してPRML方式を用いて復号を行なう情報再生装置であって、
再生信号に含まれる最短ラン長信号を検出する最短マーク（スペース）信号検出回路と、
該最短マーク（スペース）信号検出回路の検出結果に従ってPR等化後の信号から補正量を算出する補正量算出回路と、
該補正量算出回路が算出する補正量に従って補正基準値を算出する基準値設定回路と、
該補正基準値を最尤復号法における基準値として最尤復号を行なう最尤復号回路を備える情報再生装置。
【請求項１５】
請求項1記載の前記基準値設定回路は、該回路が保持する全ての基準値に前記補正量を一律に加算して補正基準値を算出することを特徴とする情報再生装置。
【請求項１６】
請求項1の前記再生信号に含まれる最短マークまたはスペース信号を検出する最短マーク（スペース）信号検出回路は、最短マーク（スペース）を検出し、検出した結果に従ってPR等化後の信号から最短マーク（スペース）の振幅を検出し、該振幅と最尤復号法における最短マーク（スペース）の基準値との差分の平均値を前記補正量として算出することを特徴とする情報再生装置。
【発明の詳細な説明】
【技術分野】
【０００１】
本発明は、記録媒体の情報再生装置に係り、特にパーシャルレスポンス最尤復号法を用いた復号方法及び復号装置に関する。
【背景技術】
【０００２】
一般にPRML(Partial Response Maximum Likelihood)方式を用いてデータを復号する光ディスク再生装置において、PRML方式にてデータを復号する前に、A/D変換後の再生信号に対して、再生信号の振幅がある閾値レベル(以下、判別レベル)を超すか否かで正と負を判別するスライス制御を行なう。非特許文献1によれば、再生信号はディスクの反射率変動、フォーカスずれ、ビームのトラック中心からのずれなどによって、低周波成分に変動が生じる。この変動を取り除くために、再生信号出力を高域通過フィルタによって、交流結合させてからスライス制御を行なう。また、直流成分を持たない変調方式を用いても、交流結合後の信号に低周波成分(直流)のオフセットが残ることがある。この問題を解決する為、一般的には検出パルスの平均電圧をフィードバックし、スライス制御の結果において、振幅平均が0となるように判別レベルを制御するDFB(Duty Feedback)が用いられる。
【０００３】
DFBを用いたスライス制御が正常に機能する事で、PRML処理装置は正常に機能し、データは復号される。
【先行技術文献】
【非特許文献】
【０００４】
【非特許文献１】尾上守夫 監修 村山登特・小出博・山田和作・国兼真著                        「光ディスク技術」  ラジオ技術社  1988年  （190-192頁）
【発明の概要】
【発明が解決しようとする課題】
【０００５】
しかし、ブルーレイディスク(Blu-ray Disc : 以下、BD)などの光ディスクがさらに高密度になった場合には、記録媒体に記録した信号を再生信号として読み取るピックアップ装置のスポット径の限界などにより、最短周期である2T信号は、判別レベルを交差しないことがあるため、正確に検出できない。ここで、Tはチャネルクロック周期を表す。最も振幅が小さい2T信号が正確に検出できない状態でDFBが機能するため、正常に判別レベルを制御することができない。該2T信号が原因となりDFBが正常に動作せずオフセットが生じた入力波形を図16に示す。1601はDFBが正常に動作しないためにオフセットが生じた入力波形、1602はDFBによる補正をかけない初期の判別レベル、1603はDFBが正常に動作した場合の判別レベル、1604乃至1606はピックアップ装置のスポット径の限界などにより、最短周期である2T信号が判別レベルを交差しない様子を示す。また、初期判別レベル1602と判別レベル1603の差分を補正量αとする。1604乃至1606の2T信号振幅が判別レベル1602を交差しないために、DFBは正常に動作せず入力波形1601は初期判別レベル1602に対して補正量αのオフセットが生じる。オフセットが生じた波形に対してスライス制御を行なった場合、PRMLを用いた回路構成において問題となるのは最尤復号回路である。最尤復号回路は内部に有する基準値と入力波形を比較することで最尤パスを探索し復号処理を行なうが、オフセットが生じた入力波形を用いて最尤パスを探索しても、比較対象に用いる基準値にはオフセットが考慮されていない為、入力波形と基準値との間にオフセット分の差分が出てしまい正常に復号できない可能性がある。
【課題を解決するための手段】
【０００６】
上記課題を解決するため、本発明は最短マークまたはスペース信号を検出する回路と検出した該信号に従って補正量αを算出する補正量算出回路を備え、該補正量算出回路が算出した補正量αと処理時刻での最尤復号における基準値を加算した結果を次処理時刻における新たな基準値として、入力波形に生じる補正量α分のオフセットを基準値に加算して最尤復号することを特徴とする。
【発明の効果】
【０００７】
本発明によれば、高密度の光ディスク再生においてピックアップ装置のスポット径の限界や符号間干渉が原因となり正常に復号できないデータを正常に復号することが可能になる。
【図面の簡単な説明】
【０００８】
【図１】本発明の第1の実施例における光ディスク再生装置の構成を示すブロック図
【図２】PR(12221) MLによるPR等化後の信号と最尤復号後の信号概念図
【図３】PR(12221)MLによるPR等化後の2T信号
【図４】本発明の第1の実施例におけるPR(12221)MLの場合の補正量算出回路の構成を示すブロック図
【図５】本発明の第1の実施例における基準値設定回路の構成を示すブロック図
【図６】本発明の第2の実施例における光ディスク再生装置の構成を示すブロック図
【図７】本発明の第2の実施例における補正量算出回路の動作概念図
【図８】本発明の第3の実施例における光ディスク再生装置の構成を示すブロック図
【図９】本発明の第3の実施例における基準値設定回路の構成を示すブロック図
【図１０】本発明の第3の実施例における補正量算出回路の構成を示すブロック図
【図１１】本発明の第4の実施例における光ディスク再生装置の構成を示すブロック図
【図１２】本発明の第4の実施例における補正量算出回路の構成を示すブロック図
【図１３】本発明の第4の実施例における基準値設定回路の構成を示すブロック図
【図１４】PR(1221) MLによるPR等化後の信号と最尤復号後の信号概念図
【図１５】PR(1221)MLによるPR等化後の2T信号
【図１６】DFBが正常に動作しない場合のオフセットが生じた入力波形概念図
【図１７】本発明の第5の実施例における光ディスク再生装置の構成を示すブロック図
【図１８】本発明の第6の実施例における補正量算出回路の構成を示すブロック図
【図１９】本発明の第6の実施例における基準値設定回路の構成を示すブロック図
【発明を実施するための形態】
【０００９】
本発明を実施するための最良の形態を説明する。
【００１０】
以下、本発明の情報再生装置及び方法の実施例について、図面を用いて説明する。
【実施例１】
【００１１】
図1に本発明の実施例であるPR(12221)ML方式を用いた光ディスク再生装置を示す。
【００１２】
図1において、101はデータが記録された光ディスク、102は光ディスク101に記録した信号を再生信号として読み取るピックアップ、103は光ディスク101を回転させるスピンドルモータ、104は光ディスク101より読み取られた再生信号のアナログ処理を行なうAFE (Analog Front End)、105はAFE104からのアナログ信号をデジタル信号に変換するADC(Analog Digital Converter)、115はデータの2値化復号処理を行なうPRML処理回路である。PRML処理回路115は、入力信号を所望の特性に等化する等化回路106、この等化処理に必要なフィルタ係数を計算する適応学習回路107、等化回路106で行なう入力信号の等化における等化目標値レベルを設定する目標値設定回路108、最尤復号処理においてある状態から次の状態への遷移・パス毎の基準値を生成する基準値設定回路110、このパス毎の基準値を用いて最尤復号処理を行なう最尤復号回路109、最尤復号回路109での復号結果から2T信号を検出して補正量αを算出する補正量算出回路111を有している。112はPRML処理回路115で2値化されたデータの復調処理、誤り訂正演算処理、デスクランブル処理および外部へのデータ出力制御を行なうデコーダ、113は光ディスク再生装置の外部に設けられたホスト、116は光ディスク101から再生した信号を処理しホスト113にデータを渡す信号処理LSI、114はシステムを統括するマイコンであり、信号処理LSI116内に備えられる各回路の制御を行なう。また、a01はピックアップ102の出力信号、a02はAFE104の出力信号、a03はADC105の出力信号、a04は等化回路106の出力信号、a05は最尤復号回路109の出力信号、a06は補正量算出回路111の出力信号、a07は目標値設定回路108の出力信号、a08はデコーダ112の出力信号、a09は基準値設定回路110の出力信号、a10は適応学習回路107の出力信号を示す。
【００１３】
本実施例の光ディスク再生装置における再生動作について説明する。
【００１４】
ピックアップ102は光ディスク101から信号を読み出し、信号a01を生成し、AFE104へ出力する。AFE104は信号a01の特性ばらつきの吸収や短マークのブースト処理などのアナログ処理を行ない信号a02を生成し、ADC105へ出力する。ADC105はアナログ信号a02をデジタル化して信号a03を生成し、PRML回路115へ出力する。PRML回路115において、目標値設定回路108はソフトウェアによりマイコン114が定める等化目標となる目標信号a07を生成し、適応学習回路107に出力する。ここで、本実施例ではマイコン114が定めるとしたが、等化目標は予めメモリなどの記憶回路に記憶しておいても良い。適応学習回路107は、信号a07と信号a04の差分である等化誤差が小さくなるようにフィルタ係数を算出し信号a10を生成し、等化回路106へ出力する。等化回路106は信号a10を用いて信号a03を等化し信号a04を生成して、適応学習回路107と最尤復号回路109と補正量算出回路111へ出力する。最尤復号回路109は信号a04を基準値設定回路110が生成する信号a09をもとに、最尤復号を用いて最も確からしい2値の符号に復号して信号a05を生成し、適応学習回路107と補正量算出回路111とデコーダ112へ出力する。補正量算出回路111は信号a05から2T信号を検出し、該検出結果から2T信号位置を特定しPR等化後の信号a04の2T信号振幅をサンプリングして該2T信号振幅を平均化し、その値を補正量αとして信号a06を生成し基準値設定回路110へ出力する。基準値設定回路110は信号a06の補正量αと保持している全基準値レベルとを加算して信号a09を生成し、最尤復号回路109へ出力する。
【００１５】
補正量算出回路111において補正量αを算出する方法を述べる。
【００１６】
図2にPR(12221)で等化した出力信号と該出力信号の最尤復号結果を示す。200は最尤復号後の2値信号、201は信号a03をPR(12221)で等化した理想的な信号を示す。
【００１７】
図2中のPR(12221)等化後の信号201に示す通り、PR(12221)で2T信号を等化すると振幅は0となる。そのため信号a04の内2T信号振幅は本来0になるはずであるが、符号間干渉などの原因により、信号a04の内2T信号振幅は非ゼロ値である場合がある。本来ならば2T信号振幅は0であるため、2T信号振幅0からのずれ量の平均値を求め、該平均値を補正量αとして基準値設定回路110へ出力する。
【００１８】
補正量αを算出するために必要な2T信号振幅の検出方法を述べる。
【００１９】
図3にPR(12221)MLを用いたPR等化後の信号a04とチャネルクロックとのタイミング概念図を示す。図3において点線はチャネルクロックの立ち上がりタイミング、301乃至304 はPR(12221)MLによる等化後の信号a04を示す。
【００２０】
図3に示す通り、PR(12221)MLの場合、復号後の信号a05はゼロクロスする前後でサンプリングされる（以降、ゼロクロスする前後でサンプリングされることをビット中央と呼ぶ）。ビット中央の場合、2T信号である (Pattern31 : 01100) が検出された時のPR等化後の信号302と(Pattern32 : 00110)が検出された時のPR等化後の信号303の両信号が2T信号振幅を示すため、該信号振幅両方を用いて補正量αを算出する。そのため、2T検出回路は、最尤復号後の信号a05を1クロックずつシフトさせた5クロック分の信号a05を検査する必要がある。また、PR(12221)では (Pattern33 : 10011) と(Pattern34 : 11001)も2T信号を示すので、Pattern31、Pattern32と同様に処理する。
【００２１】
補正量算出回路111を図4に示す。図4において、401乃至404はD-FF（D型フリップフロップ）、405は2T信号を検出する2T検出回路、406は信号a04を後述する信号d05と同期を取るための遅延回路、407は2T信号検出時のみに導通し、PR等化後の2T信号振幅のみを通過させるスイッチング回路、408は信号振幅の平均値を求めるLPF(Low Pass Filter)である。尚、図4に示す401乃至404はD-FFに限るものではなく、その他の値保持回路でも良い。また、LPFの平均化を行なうサンプル数は応答特性(時定数)によって決まる。d01はD-FF401の出力信号、d02はD-FF402の出力信号、d03はD-FF403の出力信号、d04はD-FF404の出力信号、d05は2T検出回路405が生成する2T検出情報、d06は遅延回路406の出力信号、d07はスイッチング回路407の出力信号とする。
【００２２】
補正量算出回路111の補正量算出動作について説明する。
【００２３】
最尤復号回路109は、信号a04を最も確からしい2値の符号に復号して信号a05を生成し、補正量算出回路111へ出力する。D-FF401乃至404は信号a05を1クロックずつシフトさせ各々信号d01乃至d04を生成し、5クロック分の信号を2T検出回路405へ出力する。2T検出回路405は前記した通り図4に示す信号パターン(Pattern31 : 01100)と(Pattern32 : 00110) と(Pattern33 : 10011) と(Pattern34 : 11001)を2T信号と認識し2T検出情報d05を生成し、スイッチング回路407へ出力する。ここで、2T信号と認識する信号(Pattern31 : 01100)と(Pattern32 : 00110) と(Pattern33 : 10011) と(Pattern34 : 11001)の”０”と”１”は左から、信号d04、信号d03、信号d02、信号d01および信号a05に対応する。遅延回路406は信号d05と同期を取るために、信号a04を遅延させて信号d06を生成し、スイッチング回路407へ出力する。スイッチング回路407は、2T検出情報d05により2Tが検出された時のみ導通し、入力信号d06を出力信号d07として、LPF408へ出力する。LPF408は信号d07の信号振幅の平均値を求め信号a06を生成し、補正量αとして基準値設定回路110へ出力する。
【００２４】
図5にPR(12221)MLで最短マーク/スペース長が2Tの場合の基準値設定回路110を示す。PR(12221)MLで最短マーク/スペース長が2Tの場合、基準値は9つに分かれる。501は基準値50保持回路、502は基準値51保持回路、503は基準値52保持回路、504は基準値53保持回路、505は基準値54保持回路、506は基準値55保持回路、507は基準値56保持回路、508は基準値57保持回路、509は基準値58保持回路、510乃至518は2入力加算器である。ここで、最尤復号におけるREF11111の基準値を基準値50、最尤復号におけるREF11110/01111の基準値を基準値51、最尤復号におけるREF01110の基準値を基準値52、最尤復号におけるREF11100/00111の基準値を基準値53、最尤復号におけるREF01100/00110/11001/10011の基準値を基準値54、最尤復号におけるREF11000/00011の基準値を基準値55、REF10001の基準値を基準値56、REF10000/00001の基準値を基準値57、REF00000の基準値を基準値58とする。各基準値はソフトウェアによりマイコン114がPRクラス及び最短マーク/スペース長に応じて予め設定する。また、本実施例ではマイコン114が定めるとしたが、基準値は予めメモリなどの記憶回路に記憶しておいても良い。
【００２５】
PR(12221)MLの場合の基準値設定回路110の動作について説明する。
【００２６】
補正量算出回路111は補正量αとして信号a06を生成し、基準値設定回路110へ出力する。510乃至518の2入力加算器は、501乃至509が保持する基準値に信号a06を各々加算し、信号a09(補正基準値50と補正基準値51と補正基準値52と補正基準値53と補正基準値54と補正基準値55と補正基準値56と補正基準値57と補正基準値58)を生成し、最尤復号回路109へ出力する。
【００２７】
このように、最尤復号回路109が復号したデータから、補正量算出回路111を用いてPR等化後の2T信号振幅を算出し、算出した値を補正量αとして基準値設定回路110で保持している各基準値に加算し、新たな基準値として最尤復号回路109が復号を行なう事で、ピックアップ装置のスポット径の限界や符号間干渉が原因となり正常に復号できないデータの復号が可能となる。
【００２８】
また本実施例では、光ディスク再生装置における最短マーク(スペース)長の信号を用いて情報の再生を行なっているが、それ以外の系でもよく、情報再生装置は光ディスク再生装置に限るものではない。
また本実施例ではAFE104、ADC105、等化回路106、適応学習回路107、目標値設定回路108、最尤復号回路109、基準値設定回路110、補正量算出回路111、及びデコーダ112は各々ハードウェア回路で実現しているが、ソフトウェアで処理を実現しても良い。本実施例では、AFE104、ADC105、等化回路106、適応学習回路107、目標値設定回路108、最尤復号回路109、基準値設定回路110、補正量算出回路111、デコーダ112、及びマイコン114を1つのLSIで構成しているが別個に構成を設けても良い。
【実施例２】
【００２９】
図6に本発明の第2の実施例である光ディスク再生装置の構成図を示す。図6において、実施例1と同様の動作を行なうものには、図1と同じ番号を付している。BD等の光ディスクでは最短信号長の2Tが最も頻度が高い。本実施例ではPR(12221)ML方式を用いた光ディスク再生装置において、信号a04の振幅値別頻度を測定し最も頻度の高い信号の振幅値を補正量αとして実施例１と同様に基準値の補正処理を行なうことで、正常に最尤復号を行なう。
【００３０】
本実施例の光ディスク再生装置が実施例1の光ディスク再生装置と相違するのは、補正量αを算出する補正量算出回路601であり、補正量算出回路601は補正量αを、最尤復号結果を用いず信号a04のみを用いて算出する。図7に実施例2における補正量算出回路601の動作概念図を示す。701は信号a04の一例、702は信号a04の振幅値別頻度測定結果の一例、703は頻度測定結果702の中で、頻度の最も高い振幅値を示す。
【００３１】
補正量算出回路601の動作について図7を用いて説明する。
【００３２】
補正量算出回路601は信号a04を振幅値別に頻度を測定し、最も頻度の高い振幅値703を補正量αとして信号a06を生成し、基準値設定回路110へ出力する。一般に、BDでは信号a04から検出される振幅値は2T信号の頻度が最も高いことが知られている。また、信号a03をPR(12221)で等化した場合、PR等化後の2T信号振幅値は0となるため、補正量算出回路601が出力する頻度の最も高い振幅値を示す信号a06は2T信号振幅値であり、信号a06の振幅値は本来0になるはずであるが、符号間干渉などの原因により、信号a06の振幅値は振幅703のように非ゼロ値である場合がある。本来ならば振幅値0であるため、振幅値0からのずれ量を補正量αとして基準値設定回路110へ出力し、実施例１同様にマイコン114が予め設定する各基準値に加算して補正基準値を算出し、最尤復号回路109で該補正基準値を用いて復号を行なう。
【００３３】
このように、PR(12221)において信号a04の振幅値別頻度測定を行ない、最も頻度の高い信号を2T信号とみなし、該信号の振幅値に従って補正量αを算出し、実施例1同様に基準値設定回路110で各基準値と補正量αを加算し、最尤復号を行なう事で、ピックアップ装置のスポット径の限界や符号間干渉が原因となり正常に復号できないデータの復号が可能となる。
【００３４】
また本実施例では、光ディスク再生装置における最短マーク(スペース)長の信号を用いて情報の再生を行なっているが、それ以外の系でもよく、情報再生装置は光ディスク再生装置に限るものではない。
また本実施例ではAFE104、ADC105、等化回路106、適応学習回路107、目標値設定回路108、最尤復号回路109、基準値設定回路110、補正量算出回路601、及びデコーダ112は各々ハードウェア回路で実現しているが、ソフトウェアで処理を実現しても良い。本実施例では、AFE104、ADC105、等化回路106、適応学習回路107、目標値設定回路108、最尤復号回路109、基準値設定回路110、補正量算出回路601、デコーダ112、及びマイコン114を1つのLSIで構成しているが別個に構成を設けても良い。
【実施例３】
【００３５】
図8に本発明の第3の実施例である光ディスク再生装置の構成図を示す。図8において、実施例1と同様の動作を行なうものには図1と同じ番号を付している。
【００３６】
本実施例の光ディスク再生装置が実施例1の光ディスク再生装置と相違するのは、補正量算出回路801と基準値設定回路802である。
【００３７】
図9にPR(12221)MLで最短マーク/スペース長が2Tの場合の基準値設定回路802を示す。PR(12221)MLで最短マーク/スペース長が2Tの場合、基準値は9つに分かれる。901は基準値50保持回路、902は基準値51保持回路、903は基準値52保持回路、904は基準値53保持回路、905は基準値54保持回路、906は基準値55保持回路、907は基準値56保持回路、908は基準値57保持回路、909は基準値58保持回路、910乃至918は2入力加算器である。基準値50乃至基準値58の定義は実施例1と同様である。
【００３８】
PR(12221)MLの場合の基準値設定回路802の動作について説明する。
【００３９】
補正量算出回路801は補正量αとして信号a06を生成し、基準値設定回路802へ出力する。910乃至918の2入力加算器は、901乃至909が保持する基準値に信号a06を各々加算し、信号a09(補正基準値50と補正基準値51と補正基準値52と補正基準値53と補正基準値54と補正基準値55と補正基準値56と補正基準値57と補正基準値58)を生成して最尤復号回路109へ出力する。また、加算結果の信号a09は901乃至909の各基準値保持回路へフィードバックされる。901乃至909の各基準値保持回路はフィードバックされた補正基準値を次処理時刻の基準値とするため保有する。
【００４０】
図10に補正量算出回路801を示す。
【００４１】
図10において、実施例1と同様の動作を行なうものには図4と同じ番号を付している。本実施例の補正量算出回路801が実施例1の補正量算出回路111と相違するのは減算器1001を備え、算出した補正量αを次処理時刻の信号j01から減算することである。ここでj01は遅延回路406の出力信号である。
補正量算出回路801の動作について説明する。
【００４２】
基準値設定回路802の901乃至909の基準値保持回路は保持する基準値を補正量αで加算する度に更新する。そのため、補正量算出回路801は算出した補正量αを信号j01から減算する。
【００４３】
このように基準値設定回路802で保持する各基準値を補正量αで加算する度に更新し、補正量算出回路801で次処理時刻の等化後の信号から補正量αを減算することで、実施例1と同様にピックアップ装置のスポット径の限界や符号間干渉が原因となり正常に復号できないデータの復号が可能となる。
また本実施例では、光ディスク再生装置における最短マーク(スペース)長の信号を用いて情報の再生を行なっているが、それ以外の系でもよく、情報再生装置は光ディスク再生装置に限るものではない。
また本実施例ではAFE104、ADC105、等化回路106、適応学習回路107、目標値設定回路108、最尤復号回路109、基準値設定回路802、補正量算出回路801、及びデコーダ112は各々ハードウェア回路で実現しているが、ソフトウェアで処理を実現しても良い。本実施例では、AFE104、ADC105、等化回路106、適応学習回路107、目標値設定回路108、最尤復号回路109、基準値設定回路802、補正量算出回路801、デコーダ112、及びマイコン114を1つのLSIで構成しているが別個に構成を設けても良い。また減算器1001は算出した補正量αを次処理時刻で算出された補正量αから減算するように、LPF408後に備えても良い。
【００４４】
本実施例の基準値設定回路802は実施例2における基準値設定回路110と置き換えを行なうこともでき、その際、補正量算出回路601は補正量算出回路801同様に、算出した補正量αを次処理時刻の等化後の信号もしくは次処理時刻の補正量αから減算することが必要となる。該回路の置き換えを行なうことで本実施例と同様の効果が得られる。
【実施例４】
【００４５】
図11に本発明の第4の実施例である光ディスク再生装置の構成図を示す。図11において、実施例1と同様の動作を行なうものには、図1と同じ番号を付している。本実施例ではPR(1221)ML方式を用いた光ディスク再生装置を示し、第1の実施例と異なるのは基準値設定回路1101と補正量算出回路1102と最尤復号回路1103と目標値設定回路1104と適応学習回路1105と等化回路1106である。
【００４６】
補正量算出回路1102において補正量αを算出する方法を述べる。
【００４７】
図14にPR(1221)で等化した出力信号と該出力信号の最尤復号結果を示す。1400は最尤復号後の2値信号、1401は信号a03をPR(12221)で等化した理想的な信号を示す。
【００４８】
図14に示す通り、PR(1221)で2T信号を等化すると振幅は適応学習回路1105が設定する信号a10に従って、一定の振幅を示す。該振幅は基準値設定回路1101が設定するREF0110とREF1001の基準値と理想的には同じ値になるはずであるが、符号間干渉などの原因により、該振幅は該基準値と同じ値にならない場合がある。補正量算出回路1102は基準値設定回路1101が設定するREF0110とREF1001の基準値とPR等化後の信号振幅値との差分を算出し、該差分値の平均値を補正量αとして基準値設定回路1101へ出力する。
【００４９】
補正量αを算出するために必要な2T信号振幅の検出方法を述べる。
【００５０】
図15にPR(1221)MLを用いたPR等化後の信号a04とチャネルクロックとのタイミング概念図を示す。図15において点線はチャネルクロックの立ち上がりタイミング、1501乃至1505 はPR(1221)MLによる等化後のa04を示す。
【００５１】
図15に示す通り、PR(1221)MLの場合、復号後の信号a05は波形がゼロクロスする時にサンプリングされる(以降、ゼロクロスする時にサンプリングされることをビット境界と呼ぶ)。ビット境界の場合、2T信号である (Pattern21 : 0110) が検出された時のPR等化後の信号1503が2T信号振幅値を示すため、該信号振幅値を用いて補正量αを算出する。そのため、2T検出回路は、最尤復号後の信号a05を1クロックずつシフトさせた4クロック分の信号a05を検査する必要がある。また、PR(1221)では (Pattern22 : 1001)も2T信号を示すので、Pattern21と同様に処理する。
【００５２】
図12にPR(1221)MLの場合の補正量算出回路1102を示す。図12において、1201乃至1203はD-FF（D型フリップフロップ）、1204は2T信号を検出する2T検出回路、1205は信号a04を後述する信号l04と同期をとるための遅延回路、1206は2T信号検出時のみに導通し、PR等化後の2T信号振幅値のみを通過させるスイッチング回路、1207は信号振幅値の平均値を求めるLPF、1208はPR等化後の信号l05と2T信号基準値との差分を算出する差分演算回路である。尚、図12に示す1201乃至1203はD-FFに限るものではなく、その他の値保持回路でも良い。また、LPFの平均化を行なうサンプル数応答特性(時定数)によって決まる。l01はD-FF1201の出力信号、l02はD-FF1202の出力信号、l03はD-FF1203の出力信号、l04は2T検出回路1204が生成する2T信号パターンPattern21とPattern22の検出情報、l05は遅延回路1205の出力信号、l06はスイッチング回路1206の出力信号、l07は差分演算回路1208の出力信号、l08はl07と同期して2T検出時のみにスイッチング回路1206を導通させる差分演算回路1208が出力する2T検出情報である。
【００５３】
PR(1221)MLの場合の補正量算出回路1102の補正量算出動作について説明する。
【００５４】
最尤復号回路1103は、信号a04を最も確からしい2値の符号に復号して信号a05を生成し、補正量算出回路1102へ出力する。D-FF1201乃至1203は信号a05を1クロックずつシフトさせ各々信号l01乃至l03を生成し、2T検出回路1204へ出力する。2T検出回路1204は図12に示す信号(Pattern21 : 0110)と(Pattern22 : 1001)を2T信号と認識し2T検出情報l04を生成し、差分演算回路1208へ出力する。ここで、2T信号と認識する信号(Pattern21 : 0110) と(Pattern22 : 1001)の”０”と”１”は左から、信号l03、信号l02、信号l01および信号a05の値に対応する。遅延回路1205は信号l04と同期をとるために、信号a04を遅延させて信号l05を生成し、差分演算回路1208へ出力する。差分演算回路1208は信号ｌ04に従って信号l05とREF0110とREF1001の2T信号基準値との差分を算出して信号l07と2T検出情報l08を生成してスイッチング回路1206へ出力する。この際、差分演算回路1208への入力信号l04が(Pattern21 : 0110)を検出している場合、REF0110の基準値との差分を算出し、(Pattern22 : 1001)を検出している場合にはREF1001との差分を算出して信号l07を生成する。
【００５５】
スイッチング回路1206は、2T検出情報l08に従って2Tが検出された時のみ導通し、入力信号l07を出力信号l06としてLPF1207へ出力する。LPF1207は信号l06の信号振幅値の平均値を求め信号a06を生成し、補正量αとして基準値設定回路1101へ出力する。
【００５６】
図13にPR(1221)MLで最短マーク/スペース長が2Tの場合の基準値設定回路1101を示す。PR(1221)MLで最短マーク/スペース長が2Tの場合、基準値は6つに分かれる。1301は基準値40保持回路、1302は基準値41保持回路、1303は基準値42保持回路、1304は基準値43保持回路、1305は基準値44保持回路、1306は基準値45保持回路、1310乃至1315は2入力加算器である。ここで、最尤復号におけるREF1111の基準値を基準値40、最尤復号におけるREF1110/0111の基準値を基準値41、最尤復号におけるREF0110の基準値を基準値42、最尤復号におけるREF1001の基準値を基準値43、最尤復号におけるREF1000/0001の基準値を基準値44、最尤復号におけるREF0000の基準値を基準値45とする。
【００５７】
各基準値はソフトウェアによりマイコン114がPRクラス及び最短マーク/スペース長に応じて予め設定する。また、本実施例ではマイコン114が定めるとしたが、基準値は予めメモリなどの記憶回路に記憶しておいても良い。
【００５８】
PR(1221)MLの場合の基準値設定回路1101の動作について説明する。
【００５９】
補正量算出回路1102は補正量αとして信号a06を生成し、基準値設定回路1101へ出力する。1310乃至1315の2入力加算器は、1301乃至1306が保持する基準値に信号a06を各々加算し、信号a09(補正基準値40と補正基準値41と補正基準値42と補正基準値43と補正基準値44と補正基準値45)を生成し、最尤復号回路1103へ出力する。
【００６０】
最尤復号回路1103と目標値設定回路1104と適応学習回路1105と等化回路1106は実施例1で示したPR(12221)MLを用いた光ディスク再生装置において使用した最尤復号回路109と目標値設定回路108と適応学習回路107と等化回路106をPR（1221）MLの特性にあった回路に各々変更する。
【００６１】
このように、最尤復号回路1103が復号したデータから、補正量算出回路1102を用いてPR等化後の2T信号振幅を用いて補正量αを算出して基準値設定回路1101で保持している各基準値に加算し、新たな基準値として最尤復号回路1103が復号を行なう事で、ピックアップ装置のスポット径の限界や符号間干渉が原因となり正常に復号できないデータの復号が可能となる。
【００６２】
また本実施例では、光ディスク再生装置における最短マーク(スペース)長の信号を用いて情報の再生を行なっているが、それ以外の系でもよく、情報再生装置は光ディスク再生装置に限るものではない。
また本実施例ではAFE104、ADC105、等化回路1106、適応学習回路1105、目標値設定回路1104、最尤復号回路1103、基準値設定回路1101、補正量算出回路1102、及びデコーダ112は各々ハードウェア回路で実現しているが、ソフトウェアで処理を実現しても良い。本実施例では、AFE104、ADC105、等化回路1106、適応学習回路1105、目標値設定回路1104、最尤復号回路1103、基準値設定回路1101、補正量算出回路1102、デコーダ112、及びマイコン114を1つのLSIで構成しているが別個に構成を設けても良い。
【００６３】
また本実施例では補正量αを2T信号基準値とPR等化後の2T信号振幅値との差分を平均化して算出したが、2T信号振幅値の平均値として算出しても良い。
【実施例５】
【００６４】
図17に本発明の第5の実施例である光ディスク再生装置の構成図を示す。図17において、実施例4と同様の動作を行なうものには図11と同じ番号を付している。本実施例ではPR(1221)ML方式を用いた光ディスク再生装置を示し、第4の実施例と異なるのは基準値設定回路1701と補正量算出回路1702である。
【００６５】
本実施例は、実施例3に示す光ディスク再生装置においてPR(12221)ML方式をPR（1221）ML方式に変更したものである。そのため、基準値設定回路1701は実施例4で示した基準値設定回路1101に、実施例3で示した基準値設定回路802のような算出した補正基準値を基準値保持回路にフィードバックする回路を加えた回路構成となる。また、補正量算出回路1702は、実施例4で示した補正量算出回路1102に実施例3で示した補正量算出回路801のような減算器を備え、算出した補正量αを次処理時刻のPR(1221)等化後の信号から減算する回路を加えた構成となる。
【００６６】
このようにPR(1221)ML方式を用いた光ディスク再生装置において、基準値設定回路1701で保持する各基準値を補正量αで加算する度に更新し、補正量算出回路1702で次処理時刻の等化後の信号から補正量αを減算することで、ピックアップ装置のスポット径の限界や符号間干渉が原因となり正常に復号できないデータの復号が可能となる。
【００６７】
また本実施例では、光ディスク再生装置における最短マーク(スペース)長の信号を用いて情報の再生を行なっているが、それ以外の系でもよく、情報再生装置は光ディスク再生装置に限るものではない。
【実施例６】
【００６８】
第6の実施例は従来の光ディスクと従来の光ディスクが更に高密度化した場合の光ディスク（以降、高密度光ディスクと呼ぶ）に対応する光ディスク再生装置である。本実施例の光ディスク再生装置の構成は、図1に示す実施例1の光ディスク再生装置と同様であるが、106乃至111の各回路は異なる。
【００６９】
従来の光ディスクはPR(1221)ML方式を用いて再生を行なうことが有効であり、高密度光ディスクはPR(12221)ML方式を用いて再生を行なうことが有効である。そのため、本実施例ではPR（1221）ML方式とPR(12221)ML方式を切替えて再生を行なう。PR（12221）ML方式の補正量算出回路の動作は実施例1で、PR(1221)ML方式の補正量算出回路の動作は実施例4で示した通りである。本実施例ではPR（1221）ML方式とPR(12221)ML方式を切替えて動作するよう基準値設定回路と補正量算出回路を実施例1で示した基準値設定回路110と補正量算出回路111に対して変更する。
【００７０】
図18に本実施例で用いる補正量算出回路の構成図を示す。図18において、実施例1と同様の動作を行なうものには図4と同じ番号を、実施例4と同様の動作を行なうものには図12と同じ番号を付している。実施例1と実施例4と異なるのは、スイッチング回路1801と2T検出回路1802とセレクタ1803とセレクタ1804である。またs01とs02は2T検出回路1802の出力信号、s03はセレクタ1803の出力信号、s04はセレクタ1804の出力信号とする。
【００７１】
本実施例で用いる補正量算出回路の動作について説明する。
【００７２】
PR(1221)ML方式に従って動作する場合、2T検出回路1802は最尤復号後の信号a05を1クロックずつシフトさせた4クロック分の信号a05を検査する。そのためスイッチング回路1801はPR(1221)ML方式で動作する場合は導通せず、2T検出回路1802は1クロックずつシフトさせた4クロック分の信号a05が入力され、Pattern21とPattern22を2T信号と認識し、信号s01を差分演算回路1208へ出力する。セレクタ1803は信号l05と信号l07を入力信号として、PR(1221)ML方式を用いる場合は入力信号l07を出力信号s03としてスイッチング回路1206へ出力する。またセレクタ1804は信号l08と信号s02を入力信号として、信号l08を出力信号ｓ04としてスイッチング回路1206へ出力してスイッチング回路の開閉を行ない、実施例4で示した動作と同様の動作を行ない、補正量αを算出する。
【００７３】
PR(12221)ML方式に従って動作する場合、2T検出回路1802は最尤復号後の信号a05を1クロックずつシフトさせた5クロック分の信号a05を検査する。そのためスイッチング回路1801はPR（12221）ML方式で動作する場合は導通し、2T検出回路1802は1クロックずつシフトさせた5クロック分の信号a05が入力され、Pattern31とPattern32とPattern33とPattern34を2T信号と認識し、信号ｓ02をスイッチング回路1206へ出力する。セレクタ1803は信号l05と信号l07を入力信号として、PR(12221)ML方式を用いる場合は入力信号l05を出力信号s03としてスイッチング回路1206へ出力する。またセレクタ1804は信号l08と信号s02を入力信号として、信号s02を出力信号ｓ04としてスイッチング回路1206へ出力してスイッチング回路の開閉を行ない、実施例1で示した動作と同様の動作を行ない、補正量αを算出する。
【００７４】
図19に本実施例で用いる基準値設定回路の構成図を示す。図19において、実施例1と同様の動作を行なうものには図5と同じ番号を付している。第1の実施例と異なるのは、基準値190保持回路1901と基準値191保持回路1902と基準値192保持回路1903と基準値193保持回路1904と基準値194保持回路1905と基準値195保持回路1906と基準値196保持回路1907と基準値197保持回路1908と基準値198保持回路1909とスイッチング回路1910とスイッチング回路1911とスイッチング回路1912である。最尤復号におけるREF11111とREF1111の基準値を基準値190、最尤復号におけるREF11110/01111とREF1110/0111の基準値を基準値191、最尤復号におけるREF01110とREF0110の基準値を基準値192、最尤復号におけるREF11100/00111とREF1001の基準値を基準値193、最尤復号におけるREF01100/00110/11001/10011とREF0001/1000の基準値を基準値194、最尤復号におけるREF11000/00011とREF0000の基準値を基準値195、REF10001の基準値を基準値196、REF10000/00001の基準値を基準値197、REF00000の基準値を基準値198とする。各基準値はソフトウェアによりマイコン114がPRクラス及び最短マーク/スペース長に応じて予め設定する。また、本実施例ではマイコン114が定めるとしたが、基準値は予めメモリなどの記憶回路に記憶しておいても良い。
【００７５】
本実施例で用いる基準値設定回路の動作について説明する。
【００７６】
PR（1221）ML方式で動作する場合、1901乃至1906の基準値保持回路はPR（1221）ML方式に対応した基準値を出力し、前記補正量算出回路が出力する信号a06に加算して信号a09(補正基準値190と補正基準値191と補正基準値192と補正基準値193と補正基準値194と補正基準値195)を出力する。PR（1221）ML方式の場合、再生レベルは6つに分かれるため、PR（1221）MLに対応した基準値を持たない1907乃至1909の基準値保持回路と信号a06との加算結果は不要なため、1910乃至1912のスイッチング回路は導通せず、196乃至198の補正基準値は出力されない。PR(12221)ML方式で動作する場合、1901乃至1909の基準値保持回路はPR（12221）ML方式に対応した基準値を出力し、前記補正量算出回路が出力する信号a06に加算して信号a09(補正基準値190と補正基準値191と補正基準値192と補正基準値193と補正基準値194と補正基準値195と補正基準値196と補正基準値197と補正基準値198)を出力する。PR（12221）ML方式の場合、再生レベルは9つに分かれるため、1910乃至1912のスイッチング回路は導通する。
【００７７】
また、本実施例における最尤復号回路と目標値設定回路と適応学習回路と等化回路は本実施例で示した基準値設定回路と補正量算出回路と同様にPR（1221）ML方式とPR（12221）ML方式を切り替える回路に変更する。
【００７８】
このように、PRクラスを切替えることで、従来の光ディスクと、ピックアップ装置のスポット径の限界や符号間干渉が原因となり正常に復号できない高密度光ディスクの双方の良好な再生が可能になる。
【００７９】
また本実施例では、光ディスク再生装置における最短マーク(スペース)長の信号を用いて情報の再生を行なっているが、それ以外の系でもよく、情報再生装置は光ディスク再生装置に限るものではない。
【実施例７】
【００８０】
本実施例では実施例6に示した光ディスク再生装置における基準値設定回路に、実施例3で示した基準値設定回路802のような算出した補正基準値を基準値保持回路にフィードバックする回路を加えた回路構成とする。また、補正量算出回路は、実施例6における補正量算出回路に実施例3で示した補正量算出回路801のような減算器を備え、算出した補正量αを次処理時刻のPR(1221)もしくはPR(12221)等化後の信号から減算する回路を加えた構成とする。
【００８１】
このようにPR(1221)ML方式とPR（12221）ML方式を切替える光ディスク再生装置において、基準値設定回路で保持する各基準値を補正量αで加算する度に更新し、補正量算出回路で次処理時刻の等化後の信号から補正量αを減算することで、従来の光ディスクと、ピックアップ装置のスポット径の限界や符号間干渉が原因となり正常に復号できない高密度光ディスクの双方の良好な再生が可能になる。
【００８２】
また本実施例では、光ディスク再生装置における最短マーク(スペース)長の信号を用いて情報の再生を行なっているが、それ以外の系でもよく、情報再生装置は光ディスク再生装置に限るものではない。
【符号の説明】
【００８３】
１０１…光ディスク、１０２…ピックアップ、１０３…スピンドルモータ、１０４…ＡＦＥ、１０５…ＡＤＣ、１０６…等化回路、１０７…適応学習回路、１０８…目標値設定回路、１０９…最尤復号回路、１１０…基準値設定回路、１１１・・・補正量算出回路、１１２…デコーダ、１１３…ホスト、１１４…マイコン、１１５…ＰＲＭＬ回路、１１６…信号処理ＬＳＩ、２００…最尤復号後の２値信号、２０１…ＰＲ（１２２２１）ＭＬによる等化波形、３０１…ＰＲ（１２２２１）ＭＬを用いたＰＲ等化後の信号、３０２…ＰＲ（１２２２１）ＭＬを用いたＰＲ等化後の信号、３０３…ＰＲ（１２２２１）ＭＬを用いたPR等化後の信号、３０４…ＰＲ（１２２２１）ＭＬを用いたPR等化後の信号、４０１…Ｄ−ＦＦ、４０２…Ｄ−ＦＦ、４０３…Ｄ−ＦＦ、４０４…Ｄ−ＦＦ、４０５…２Ｔ検出回路、４０６…遅延回路、４０７…スイッチング回路、４０８…ＬＰＦ、５０１…基準値５０保持回路、５０２…基準値５１保持回路、５０３…基準値５２保持回路、５０４…基準値５３保持回路、５０５…基準値５４保持回路、５０６…基準値５５保持回路、５０７…基準値５６保持回路、５０８…基準値５７保持回路、５０９…基準値５８保持回路、５１０…加算器、５１１…加算器、５１２…加算器、５１３…加算器、５１４…加算器、５１５…加算器、５１６…加算器、５１７…加算器、５１８…加算器、６０１…実施例2における補正量算出回路、７０１…等化波形の一例、７０２…振幅別頻度測定結果の一例、７０３…７０２結果の中で最も頻度の高い振幅値、８０１…実施例3における補正量算出回路、８０２…実施例3における基準値設定回路、９０１…基準値５０保持回路、９０２…基準値５１保持回路、９０３…基準値５２保持回路、９０４…基準値５３保持回路、９０５…基準値５４保持回路、９０６…基準値５５保持回路、９０７…基準値５６保持回路、９０８…基準値５７保持回路、９０９…基準値５８保持回路、９１０…加算器、９１１…加算器、９１２…加算器、９１３…加算器、９１４…加算器、９１５…加算器、９１６…加算器、９１７…加算器、９１８…加算器、１００１…減算器、１１０１…基準値設定回路、１１０２…補正量算出回路、１１０３…最尤復号回路、１１０４…目標値設定回路、１１０５…適応学習回路、１１０６…等化回路、１２０１…Ｄ−ＦＦ、１２０２…Ｄ−ＦＦ、１２０３…Ｄ−ＦＦ、１２０４…２Ｔ検出回路、１２０５…遅延回路、１２０６…スイッチング回路、１２０７…ＬＰＦ、１２０８…差分演算回路、１３０１…基準値４０保持回路、１３０２…基準値４１保持回路、１３０３…基準値４２保持回路、１３０４…基準値４３保持回路、１３０５…基準値４４保持回路、１３０６…基準値４５保持回路、１３１０…加算器、１３１１…加算器、１３１２…加算器、１３１３…加算器、１３１４…加算器、１３１５…加算器、１４００…最尤復号後の2値信号、１４０１…ＰＲ（１２２１）等化波形、１５０１…ＰＲ（1221)MLを用いたPR等化後の信号、１５０２…ＰＲ（１２２１）ＭＬを用いたPR等化後の信号、１５０３…ＰＲ（１２２１）ＭＬを用いたPR等化後の信号、１５０４…ＰＲ（１２２１）ＭＬを用いたPR等化後の信号、１５０５…ＰＲ（１２２１）ＭＬを用い���PR等化後の信号、１６０１…オフセットが生じた入力波形、１６０２…初期の判別レベル、１６０３…ＤＦＢが正常に動作した場合の判別レベル、１７０１…基準値設定回路、１７０２…補正量算出回路、１８０１…スイッチング回路、１８０２…２Ｔ検出回路、１８０３…セレクタ、１８０４…セレクタ、１９０１…基準値１９０保持回路、１９０２…基準値１９１保持回路、１９０３…基準値１９２保持回路、１９０４…基準値１９３保持回路、１９０５…基準値１９４保持回路、１９０６…基準値１９５保持回路、１９０７…基準値１９６保持回路、１９０８…基準値１９７保持回路、１９０９…基準値１９８保持回路、１９１０…スイッチング回路、１９１１…スイッチング回路、１９１２…スイッチング回路
【図１】
2010225215.tif 000003
【図２】
2010225215.tif 000004
【図３】
2010225215.tif 000005
【図４】
2010225215.tif 000006
【図５】
2010225215.tif 000007
【図６】
2010225215.tif 000008
【図７】
2010225215.tif 000009
【図８】
2010225215.tif 000010
【図９】
2010225215.tif 000011
【図１０】
2010225215.tif 000012
【図１１】
2010225215.tif 000013
【図１２】
2010225215.tif 000014
【図１３】
2010225215.tif 000015
【図１４】
2010225215.tif 000016
【図１５】
2010225215.tif 000017
【図１６】
2010225215.tif 000018
【図１７】
2010225215.tif 000019
【図１８】
2010225215.tif 000020
【図１９】
2010225215.tif 000021